(57)【要約】      （修正有）【課題】送風遮断状態の風漏れを最少とし、送風遮断、マイルド風、及びスポット風を簡単に切換操作することができるレジスタを提供する。【解決手段】リテーナ１内に円筒フレーム２０を有した回動ルーバー２が回動可能に配設される。回動ルーバー２には送風方向と平行な中心線から放射状に可動フィン２３が円筒フレーム２０の内側で放射状の支軸により回動可能に軸支される。リテーナ１の上流側通風路１５内にダンパ装置３０が取り付けられる。操作部６の回動伝達機構４は、操作部６の背面部に連結され、ボールを先端に有するボールジョイント８のボールシャフト部材４６と、ボール４４に嵌合するソケット部材４９と、ボールシャフト部材４６の末端に設けられダンパ装置３０の軸部に連係される第２ベベルギヤ機構３４とを備える。【選択図】図５
2019156168.tif 000002
【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支され、該リテーナ内の通風路上流側にダンパ装置が取り付けられ、該円筒フレームの前部に設けた操作部の回動操作により、回動伝達機構を介して該ダンパ装置が該通風路を開閉するレジスタであって、
該操作部の該回動伝達機構は、該操作部の背面部に連結される第１ベベルギヤ部材を有した第１ベベルギヤ機構と、該第１ベベルギヤ部材に連結されるソケット部材、該ソケット部材に嵌入するボール及びボールシャフト部材を有したボールジョイントと、該ボールジョイントの該ボールシャフト部材の末端に設けられ、該ダンパ装置の軸部に連係される第２ベベルギヤ機構とを備え、
該ボールシャフト部材は、該リテーナ内の送風方向と平行な中心線上に配設され、該回動ルーバーには、該円筒フレームの中央に、複数の軸支部を放射状に設けた中央軸支部が配設され、該中央軸支部内に前記ソケット部材が挿入され、該回動ルーバーは、該ソケット部材内に嵌合される前記ボールを中心に、該ソケット部材を介して傾動可能に取り付けられ、
該回動ルーバーの該円筒フレームの内側に、複数の可動フィンが、略等間隔をおいてラジアル方向の支軸により回動可能に軸支されるとともに、該各可動フィンの内側部分が該中央軸支部の各軸支部に軸支され、
前記操作部は、該円筒フレームの中央部に設けた操作部保持部に、該回動ルーバーの中心線の回りで回動可能に保持され、該操作部は第１ベベルギヤ機構を介して該各可動フィンの内側部分と連係され、
該ダンパ装置は、直線部に軸部を各々設けた１対の半円形ダンパを有し、該軸部を中心に、該各半円形ダンパを相反方向に回動させて、該通風路を開閉するように構成され、
該ダンパ装置の該第２ベベルギヤ機構には、該ボールシャフト部材の末端嵌合部に嵌合される第２ベベルギヤ部材と、該第２ベベルギヤ部材に噛合して該各半円形ダンパに設けられた第２ベベルギヤ片とが設けられ、
該ボールシャフト部材の該末端嵌合部が、該第２ベベルギヤ部材の中心部に設けた嵌合孔に、所定の角度範囲で自由回転を許容して嵌合されたことを特徴とするレジスタ。
【請求項２】
前記嵌合孔として前記第２ベベルギヤ部材に異形軸孔が穿設され、前記ボールシャフト部材の末端嵌合部が該異形軸孔に、所定の角度範囲で自由回転を許容して嵌合されることを特徴とする請求項１記載のレジスタ。
【請求項３】
前末端嵌合部は、前記ボールシャフト部材の端部両側に平坦面を形成し、該両側の平坦面の間に円弧状曲面を設けて形成され、該異形軸孔には、該平坦面が回動端で当接する当接面と、該円弧状曲面が摺接する摺接面が設けられたことを特徴とする請求項２記載のレジスタ。
構成とする
【請求項４】
前記ボールシャフト部材を支持するボールジョイント支持部が前記リテーナ内に設けられ、前記第２ベベルギヤ部材に、該ボールジョイント支持部側に付勢するバネ部材が取り付けられたことを特徴とする請求項１記載のレジスタ。
【請求項５】
前記１対の半円形ダンパの少なくとも円弧状縁部に、軟質合成樹脂部が被覆形成されたことを特徴とする請求項１記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有し、通風路内にダンパ装置を設けた丸型のレジスタに関する。
【背景技術】
【０００２】
従来、円筒フレーム内に円形の空気吹出口を有する丸型レジスタとして、円筒フレーム内に円筒型のバレルが、空気吹出口の中心部を軸に、上下左右に傾動可能に支持された構造のレジスタが、下記特許文献１により知られている。
【０００３】
このレジスタは、円筒型のバレルの内側に複数の固定フィンが放射状に設けられ、バレルの中心部に、ダンパ装置の操作ノブが中央部を中心に回動操作可能に支持される。操作ノブの回動軸は、ケース内中央に支持された中央回動軸に、自在継手を介して連結され、中央回動軸の末端に傘歯車が取り付けられ、操作ノブの回動操作により傘歯車が回動する。
【０００４】
さらに、通風路内のバレルの上流側に、半円形ダンパを備えたダンパ装置が通風路を開閉可能に配設される。このダンパ装置には、１対の半円形ダンパが通風路を開閉可能に軸支され、各半円形ダンパの回動軸は、通風路内で、送風方向と直交する横断方向中央に、直線状に配置され支持される。ダンパ装置の１対の半円形ダンパは、各々、その弦部（直線部）に回動軸を直線上に位置させ、相互に約９０°の範囲で回動可能に軸支されるように連結され、回動軸の両側端部がケースの壁部に回動可能に軸支される。半円形ダンパの回動軸近傍には、各々、傘歯車片が半円形ダンパと一体に成形される。
【０００５】
各半円形ダンパの回動軸近傍に設けた傘歯車片は、上記傘歯車と噛合する。これにより、操作ノブを回動操作すると、その回動力が自在継手を介して中央回動軸に伝達され、中央回動軸の回動が傘歯車及び傘歯車片を介して１対の半円形ダンパを相反方向に約９０の範囲で回動させ、ダンパを開閉させる。
【０００６】
上記構成のレジスタは、円筒型のバレルを傾動操作して、送風方向を変え、操作ノブを回動操作すると、１対の半円形ダンパが回動して通風路を開閉することはできるものの、レジスタから送風される風は、バレルの内側からそのままスポット風が送風されるのみであり、車内にマイルド風（適度に拡散された拡散風）がほしい場合、マイルド風を送風することはできない。
【先行技術文献】
【特許文献】
【０００７】
【特許文献１】特開２０１６ー１５９７２１号公報
【特許文献２】特開２０１４ー０３４２８０号公報
【発明の概要】
【発明が解決しようとする課題】
【０００８】
一方、丸型のレジスタとして、従来、上記特許文献２により、円筒型のリテーナ内に円筒フレームを有した回動ルーバーが回動可能に配設され、回動ルーバーには送風方向と平行な中心線から放射状に複数の可動フィンが円筒フレームの内側で放射状の支軸により回動可能に軸支された構造のレジスタが知られている。
【０００９】
このレジスタは、リテーナ内の送風方向と平行な中心線上に、ボールを有するボールジョイントが配設され、回動ルーバーには、円筒フレームの中央に、複数の軸支部を放射状に設けた中央軸支部が配設され、中央軸支部は、中央に設けたボール穴をボールに嵌合させて、傾動及び回動可能に取り付けられる。円筒フレームの内側に複数の可動フィンが、略等間隔をおいてラジアル方向の支軸により回動可能に軸支され、各可動フィンの内側部分が中央軸支部の各軸支部に軸支される。
【００１０】
さらに、中央軸支部の前面側中央には操作部が回動ルーバーの中心線の回りで回動可能に装着され、操作部はベベルギヤ機構を介して該各可動フィンの内側部分と連係され、操作部を回動操作することにより、円筒フレーム内で、回動ルーバーの複数の可動フィンが、放射状の軸の回りで回動し、適度に拡散されたマイルド風を送風する。
【００１１】
しかし、円筒フレームの外側とリテーナの内側との間に、僅かながら隙間があるため、例えば閉鎖可能な可動フィンを閉鎖状態にした場合でも、風漏れが生じやすい。また、操作部の簡単な操作のみで、スポット風からマイルド風に、さらに送風遮断状態まで、容易に変えることができるレジスタが、要望されていた。
【００１２】
本発明は、上記の点に鑑みなされたもので、送風遮断状態の風漏れを最少とし、送風遮断、マイルド風、及びスポット風を簡単に切換操作することができるレジスタを提供することを目的とする。
【課題を解決するための手段】
【００１３】
上記目的を達成するために、本発明のレジスタは、
円筒型のリテーナ内に円筒フレームを有した回動ルーバーが回動可能に配設され、該回動ルーバーには送風方向と平行な中心線から放射状に複数の可動フィンが該円筒フレームの内側で放射状の支軸により回動可能に軸支され、該リテーナの上流側通風路内にダンパ装置が取り付けられ、該円筒フレームの前部に設けた操作部の回動操作により、回動伝達機構を介して該ダンパ装置が該通風路を開閉するレジスタであって、
該操作部の該回動伝達機構は、該操作部の背面部に連結される第１ベベルギヤ部材を有した第１ベベルギヤ機構と、該第１ベベルギヤ部材に連結されるソケット部材、該ソケット部材に嵌入するボール及びボールシャフト部材を有したボールジョイントと、該ボールジョイントの該ボールシャフト部材の末端に設けられ、該ダンパ装置の軸部に連係される第２ベベルギヤ機構とを備え、
該ボールシャフト部材は、該リテーナ内の送風方向と平行な中心線上に配設され、該回動ルーバーには、該円筒フレームの中央に、複数の軸支部を放射状に設けた中央軸支部が配設され、該中央軸支部内に前記ソケット部材が挿入され、該回動ルーバーは、該ソケット部材内に嵌合される前記ボールを中心に、該ソケット部材を介して傾動可能に取り付けられ、
該回動ルーバーの該円筒フレームの内側に、複数の可動フィンが、略等間隔をおいてラジアル方向の支軸により回動可能に軸支されるとともに、該各可動フィンの内側部分が該中央軸支部の各軸支部に軸支され、
前記操作部は、該円筒フレームの中央部に設けた操作部保持部に、該回動ルーバーの中心線の回りで回動可能に保持され、該操作部は第１ベベルギヤ機構を介して該各可動フィンの内側部分と連係され、
該ダンパ装置は、直線部に軸部を各々設けた１対の半円形ダンパを有し、該軸部を中心に、該各半円形ダンパを相反方向に回動させて、該通風路を開閉するように構成され、
該ダンパ装置の該第２ベベルギヤ機構には、該ボールシャフト部材の末端嵌合部に嵌合される第２ベベルギヤ部材と、該第２ベベルギヤ部材に噛合して該各半円形ダンパに設けられた第２ベベルギヤ片とが設けられ、
該ボールシャフト部材の該末端嵌合部が、該第２ベベルギヤ部材の中心部に設けた嵌合孔に、所定の角度範囲で自由回転を許容して嵌合されたことを特徴とする。
【００１４】
なお、この明細書において、レジスタの前部、後部、下流側、上流側は、その前部が通風路の下流側、後部が上流側である。
【００１５】
この発明のレジスタによれば、回動ルーバーの中央の操作部を持って回動ルーバーを任意の方向に傾動操作したとき、回動ルーバーは、中央に支持されたボールジョイントのボールを中心に傾動し、送風方向が任意の方向に変えられる。また、操作部をその軸の回りで回動操作すると、第１ベベルギヤ機構を介して操作部の回動力が各可動フィンに伝達され、各可動フィンがその支軸の回りで回動し、例えば各可動フィンが通風路の軸方向と略平行になったとき、ストレートなスポット風が送風される。
【００１６】
また、操作部をその軸の回りで回動操作し、例えば各可動フィンが通風路の軸方向に対し傾斜状態となると、傾斜した複数の可動フィンによって、送風が拡散され、マイルド風が送風される。さらに操作部を回動操作して各可動フィンの傾斜角度が所定角度より増大し、各可動フィンが略閉鎖状態に達すると、ボールジョイントのボールシャフト部材の末端に設けた第２ベベルギヤ機構を介して、操作部の回動力が、ダンパ装置の１対の半円形ダンパに伝達される状態となり、半円形ダンパが回動し、操作部の回動操作がその回動端まで回したとき、１対の半円形ダンパが通風路を閉鎖する。
【００１７】
このように、操作部のみの回動操作で、送風状態をスポット風からマイルド風まで簡単に変えることができ、且つ操作部の回動端でダンパ装置を閉鎖して、送風を遮断することができる。また、ダンパ装置の１対の半円形ダンパは、隙間なく通風路を閉鎖することできるので、風漏れを発生させずに、送風を遮断することができる。
【００１８】
またここで、上記嵌合孔として、第２ベベルギヤ部材に異形軸孔が穿設され、上記ボールシャフト部材の末端嵌合部が該異形軸孔に、所定の角度範囲で自由回転を許容して嵌合される構成とすることができる。また、該末端嵌合部は、ボールシャフト部材の端部両側に平坦面を形成し、該両側の平坦面の間に円弧状曲面を設けて形成され、該異形軸孔には、該平坦面が回動端で当接する当接面と、該円弧状曲面が摺接する摺接面が設けられた構成とすることができる。
【００１９】
またここで、上記ボールシャフト部材を支持するボールジョイント支持部が上記リテーナ内に設けられ、第２ベベルギヤ部材に、該ボールジョイント支持部側に付勢するバネ部材を、取り付けることが好ましい。これによれば、第２ベベルギヤ部材のガタツキを防止できるとともに、第２ベベルギヤ部材とボールジョイント支持部間の摩擦抵抗を適度に設定し、操作部を回動操作して可動フィンのみを回動させる際、第２ベベルギヤ部材の回動を止め、半円形ダンパの回動を阻止することができる。
【００２０】
またここで、１対の半円形ダンパの少なくとも円弧状縁部に、軟質合成樹脂部が被覆形成される構成とすることが好ましい。
【発明の効果】
【００２１】
本発明のレジスタによれば、送風遮断状態の風漏れを最少とし、送風遮断、マイルド風、及びスポット風を簡単に切換操作することができる。
【図面の簡単な説明】
【００２２】
【図１】本発明の一実施形態を示すレジスタの正面図である。
【図２】同レジスタの右側面図である。
【図３】同レジスタの斜視図である。
【図４】同レジスタの背面斜視図である。
【図５】図１のV-V断面図である。
【図６】同レジスタの分解斜視図である。
【図７】ボールシャフト部材及び第２ベベルギヤを含む回動ルーバーの左側面図である。
【図８】ボールシャフト部材及び第２ベベルギヤを含む回動ルーバーの斜視図である。
【図９】ボールシャフト部材及び第２ベベルギヤを含む回動ルーバーの背面斜視図である。
【図１０】図１のX-X断面図である。
【図１１】前円筒フレーム、後円筒フレーム及び操作部の分解斜視図である。
【図１２】可動フィン、中央軸支部、及び第１ベベルギヤ部材を含む分解斜視図である。
【図１３】ダンパ装置の平面図である。
【図１４】同ダンパ装置の斜視図である。
【図１５】同ダンパ装置の背面斜視図である。
【図１６】（ａ）はダンパ装置の半円形ダンパの分解斜視図、（ｂ）は同ダンパ装置の半円形ダンパの反対側から見た分解斜視図である。
【図１７】ボールシャフト部材の斜視図である。
【図１８】ボールシャフト部材と第２ベベルギヤの分解斜視図である。
【図１９】ベゼルとリテーナの分解斜視図である。
【図２０】（ａ）はダンパ開放状態のボールシャフト部材と第２ベベルギヤの嵌合孔の関係を示す説明図、（ｂ）はマイルド送風（拡散）時の同説明図、（ｃ）はダンパ閉鎖時の同説明図である。
【図２１】回動ルーバーを下側に傾動させたときの、図５に対応する断面図である。
【図２２】回動ルーバーを左側に傾動させたときの、図１０に対応する断面図である。
【図２３】操作部を回動操作して可動フィンを支軸の回りで回動させたときの、図５に対応する断面図である。
【図２４】操作部を回動操作してダンパ装置を閉鎖状態としたときの、図１０に対応する断面図である。
【発明を実施するための形態】
【００２３】
以下、本発明の一実施形態を図面に基づいて説明する。図１〜図６は、自動車の車室内に取り付けられ、使用される空調装置用の丸型レジスタを示している。図示のレジスタは、概略的には、円筒型のリテーナ１内に、円筒フレーム２０を有した回動ルーバー２が回動可能に配設され、回動ルーバー２には、送風方向と平行な中心線Ｓ１（図５）から放射状に、５枚の可動フィン２３が、円筒フレーム２０の内側で、放射状に配置した５本の軸支線を軸に回動可能に軸支される。
【００２４】
レジスタは、円筒フレーム２０の中央に、操作部（ダイヤルノブ）６が配置され、操作部６を上下左右に動かして、回動ルーバー２を傾動させ、操作部６をその軸の回りで回動操作して、各可動フィン２３を各支軸の回りで回動させ、送風を拡散させるとともに、さらに操作部６を回動操作することにより、ダンパ装置３０を動作させて、リテーナ１内の通風路１５を開閉するように構成される。
【００２５】
レジスタの外殻を形成するリテーナ１内の通風路１５内の上流側に、図４、５に示すように、支持枠１２が放射状に設けられ、支持枠１２の中央部にボールジョイント支持部１１が設けられる。ボールジョイント支持部１１の軸方向に軸孔が形成され、この軸孔に、ボールジョイント８のボールシャフト部材４６が嵌め込まれ、ボールシャフト部材４６は、中心線Ｓ１上で軸の回りに回動可能に支持される。
【００２６】
ボールジョイント８は、図４、５に示すように、円筒フレーム２０と５枚の可動フィン２３を有した回動ルーバー２を、レジスタの中心線Ｓ１上で支持し、且つ中心線Ｓ１に対し前側の中心線Ｓ２が上下左右等に傾動するように支持し、さらにボールジョイント８は、操作部６の回動力を、第２ベベルギヤ機構３４を介してダンパ装置３０に伝達するようになっている。これらの部材は回動伝達機構４を構成する。
【００２７】
リテーナ１の前部に、図１９に示す如く、円筒状のベゼル９が、ベゼル側の係止部９ａとリテーナ側の係止爪１ｂを係止させて、嵌着される。図５、６に示すように、ベゼル９は、内側に回動ルーバー２を回動及び傾動可能に配設した状態で、係止爪１ｂをベゼル９の係止部９ａに係止させて、リテーナ１の前部に嵌着される。
【００２８】
リテーナ１内に配設される回動ルーバー２は、図７〜図１２に示すように、円筒フレーム２０内に、５枚の可動フィン２３を放射状に配設し、円筒フレーム２０の前円筒フレーム２１の中央に操作部（ダイヤルノブ）６を回動可能に軸支し、操作部６の回動操作に応じて、５枚の可動フィン２３を、放射状の軸支線の回りで、各可動フィン２３に設けた支軸２４、２７を中心に、回動させるように構成される。
【００２９】
回動ルーバー２の円筒フレーム２０は、図１１に示す如く、前円筒フレーム２１と後円筒フレーム２２とからなり、可動フィン２３を内部に組み付けた状態で、前円筒フレーム２１の後部に後円筒フレーム２２を嵌め込み、係止爪２２ａを２１ｃに係止させて嵌着される。５枚の各可動フィン２３の外側の支軸２４は、前円筒フレーム２１と後円筒フレーム２２間に設けた軸孔に軸支される。各軸孔は、約７２°の角度間隔で前円筒フレーム２１と後円筒フレーム２２間に設けられる。
【００３０】
後円筒フレーム２２の後縁部には円周にそって小凹凸部が、風切り音を防止するために設けられる。小凹凸部は、通風路１５内の通風軸方向に向けて凹凸状に形成され、さらに略三角形状の小凹凸が背面に向けて鋸歯状に形成されている。
【００３１】
円筒フレーム２０は、図１１に示す如く、前円筒フレーム２１の上流側に後円筒フレーム２２を嵌着して形成される。後円筒フレーム２２の嵌着部位には、３個の係止爪２２ａが１２０度の角度間隔で設けられ、前円筒フレーム２１の後縁部に、係止爪２２ａとの対応部分に、係止爪２２ａと係止可能な３個の係止部２１ｃが背面に向けて突設される。前円筒フレーム２１と後円筒フレーム２２は、係止爪２２ａと係止部２１ｃを係止して、嵌着される。
【００３２】
図７，８に示すように、後円筒フレーム２２の外周後部には、円筒フレーム２０の傾動範囲を規制するために、ストッパ２２ｂが突設される。ストッパ２２ｂは、後円筒フレーム２２の外周部に突設された円柱部にゴム状リングを嵌めて構成され、回動ルーバー２の傾動時のガイド機能を兼備する。このために、回動ルーバー２をリテーナ１内に装着したとき、ストッパ２２ｂは、リテーナの内側に設けたガイド溝１ａ（図５、６）内に挿入され、回動ルーバー２の円筒フレーム２０が傾動するとき、ストッパ２２ｂはガイド溝１ａ内を移動し、傾動限度まで傾動したとき、ストッパ２２ｂがガイド溝１ａの奥部またはベゼル９の内側凸部に当たり、傾動が制限される。
【００３３】
回動ルーバー２の中央に位置する中央軸支部３に、図５、図１２に示すように、その外周部に等間隔（約７２°の角度間隔）で、５個の軸支部２９が設けられる。５枚の可動フィン２３の内側の支軸２７が、それらの各軸支部２９の軸孔に回動可能に嵌入され、可動フィン２３は回動ルーバー２の円筒フレーム２０の内側に等間隔に配置され、軸支される。中央軸支部３は、図１２に示す如く、略５角形の筒型に形成され、５角形の各面に軸支部２９が設けられる。また、中央軸支部３の側に円筒軸部２８が設けられ、この円筒軸部２８に、第１ベベルギヤ機構５の第１ベベルギヤ部材４１が所定の角度範囲内で回動可能に嵌め込まれる。第１ベベルギヤ機構５は、第１ベベルギヤ部材４１と第１ベベルギヤ片２５を介して、操作部６の回動力を、５枚の各可動フィン２３に伝達する。
【００３４】
回動ルーバー２の可動フィン２３は、開放操作時、図１，３のように、通風路１５と平行状態となって流路を開放し、閉鎖操作時には、閉鎖方向の回動端である、リテーナ１内の通風路１５の横断方向と平行状態まで回動する。これにより回動ルーバー２は、操作部６を右側回動端まで回動操作した時、５枚の可動フィン２３が円筒フレーム２０内の通風路１５を、ダンパ装置３０とともに全閉状態とするように動作する。
【００３５】
回動ルーバー２を傾動可能に支持するボールジョイント８は、図５に示す如く、リテーナ１内の送風方向と平行な中心線Ｓ１上で、ボールジョイント支持部１１にそのボールシャフト部材４６を保持して、リテーナ１内の中央に取り付けられる。ボールジョイント８は、図５，１０に示すように、ボールシャフト部材４６の前側先端にボール４４が設けられ、そのボール４４に、回動ルーバー２の中央に位置する中央軸支部３内のソケット部材４９が、その中央のボール穴を嵌合させて、傾動及び回動可能に取り付けられる。
【００３６】
ソケット部材４９は、図１２に示す如く、ソケット支持部材４８を介して中央軸支部３内に装着される。ソケット部材４９は、例えば熱可塑性エラストマーなどの高分子弾性体から成形され、ソケット部材４９内にはボールシャフト部材４６のボール４４が嵌合する。ボールシャフト部材４６のボール４４はソケット部材４９内で、ガタツキを防止しつつ、傾動可能に且つ回動力を伝達可能に嵌合される。これにより、回動伝達機構４は、操作部６の回動操作時、適度な操作荷重を付与して、操作部６の回動力を第１ベベルギヤ部材４１からソケット部材４９を介して、ボールジョイント８のボールシャフト部材４６に伝達する。
【００３７】
ボールシャフト部材４６は、その前端に小径の軸部４５を介してボール４４が形成され、ボール４４には凸部４４ａが突設され、凸部４４ａは、ソケット部材４９の係合部４９ａに係合して、ソケット部材４９内に嵌入される。これにより、ソケット部材４９からボールシャフト部材４６に回動力が伝達可能となる。ソケット部材４９は、中央軸支部３内に、ソケット支持部材４８を介して、所定の角度範囲で回動可能に挿入される。
【００３８】
一方、図１２に示す如く、第１ベベルギヤ機構５の第１ベベルギヤ部材４１は、所定の角度範囲で回動可能に、中央軸支部３の円筒軸部２８に嵌合される。また、第１ベベルギヤ部材４１の前部に、連結軸部４２が突設され、第１ベベルギヤ部材４１は、その連結軸部４２を操作部６の背面側の穴部に、操作部保持部２１ｂを介して嵌入して取り付けられる。このとき、操作部６と第１ベベルギヤ部材４１は、前円筒フレーム２１の操作部保持部２１ｂに保持され、連結される。これにより、第１ベベルギヤ部材４１は前円筒フレーム２１の中央位置に回動可能に保持される。
【００３９】
操作部６の回動操作時、操作部６の回動力を、第１ベベルギヤ部材４１、ソケット支持部材４８及びソケット部材４９を介して、ボールシャフト部材４６に伝達するように、図１２に示す如く、第１ベベルギヤ部材４１、ソケット支持部材４８、ソケット部材４９、ボール４４及びボールシャフト部材４６は連結され、これらの部材が回動伝達機構４を構成する。
【００４０】
この回動伝達機構４により、操作部６の回動力は、第１ベベルギヤ部材４１、ソケット支持部材４８及びソケット部材４９を介して、ボールジョイント８のボールシャフト部材４６に伝達されるが、ボールシャフト部材４６から第２ベベルギヤ機構３４の第２ベベルギヤ部材３８に伝達される回動角度範囲は、図２０（ａ）〜（ｃ）に示すように、例えば開放状態から正面視で右側に３０°回した後の３０°の角度範囲とされ、その角度で回動力がダンパ装置３０に伝達され、ダンパ装置３０が開閉動作するようになっている。
【００４１】
回動ルーバー２の５枚の可動フィン２３は、図１２などに示す如く、円筒フレーム２０内に等間隔（約７２°の角度間隔）で配置され、各可動フィン２３の外側の支軸２４は、各々、図５に示すように、円筒フレーム２０の前円筒フレーム２１と後円筒フレーム２２との間に挟むように軸支される。内側の各支軸２７は上記中央軸支部３の外周部に等間隔（約７２°の角度間隔）で配置された各軸支線（５角形の中央軸支部３の各面から放射状に延びる線）の軸支部２９に、嵌入され、各可動フィン２３は、放射状の軸支線の回りで回動可能に軸支される。
【００４２】
前円筒フレーム２１内には、図８のように格子部２１ａが設けられ、格子部２１ａ内は通風路１５となる。格子部２１ａの中央に、円筒状の操作部保持部２１ｂ設けられ、操作部保持部２１ｂ内に、操作部６が前方から回動可能に挿入される。前円筒フレーム２１の後部（上流側）に後円筒フレーム２２が嵌着され、そのために、図１１の如く、前円筒フレーム２１の後縁部に、係止部２１ｃが後方に突設され、係止部２１ｃに後円筒フレーム２２の係止爪２２ａが係止される。
【００４３】
各可動フィン２３の内側の支軸２７は、図１２に示す如く、中央軸支部３の５本の軸支線上の、各軸支部２９に適度な摩擦抵抗をもって軸支され、中央軸支部３の前部の円筒軸部２８に、第１ベベルギヤ部材４１が回動可能に嵌合される。
【００４４】
操作部６は、ダイヤルノブ状に形成され、回動ルーバー２の円筒フレーム２０の前部の格子部２１ａの中央に、回動操作可能に装着される。図１１のように、格子部２１ａの中央には、操作部保持部２１ｂが円形凹部として形成され、その操作部保持部２１ｂの中央に、挿入孔が設けられる。その挿入孔に、前部から操作部６の軸部が挿入され、後部からは第１ベベルギヤ部材４１の連結軸部４２が操作部６の軸部内に挿通され、その連結軸部４２に設けた係止爪が操作部６の軸部の係止部に係止されて、操作部６と第１ベベルギヤ部材４１が回動操作可能に連結される。これにより、操作部６と第１ベベルギヤ部材４１は円筒フレーム２０の中央位置に、回動可能に保持される。
【００４５】
上記の如く、第１ベベルギヤ機構５の第１ベベルギヤ部材４１は、中央軸支部３の前部の円筒軸部２８に回動可能に嵌入され、図１２などに示す如く、各可動フィン２３の内側端部に設けた各第１ベベルギヤ片２５が、この第１ベベルギヤ部材４１と噛合する。これにより、操作部６を回動操作すると、第１ベベルギヤ部材４１を介して、各可動フィン２３の第１ベベルギヤ片２５が従動して回動し、回動ルーバー２の各可動フィン２３は、その支軸２４、２７を軸に回動する。
【００４６】
図１２に示すように、回動ルーバー２の可動フィン２３は、５枚のフィンから構成され、各可動フィン２３の内側部分には、駆動側の第１ベベルギヤ部材４１と噛合する従動側の第１ベベルギヤ片２５が一体成形され、その内側軸中心位置に、支軸２７が突設される。各可動フィン２３は、その内側に設けた支軸２７を、中央軸支部３の軸支部２９に挿入して支持され、各可動フィン２３の外側の支軸２４は、図５に示す如く、前円筒フレーム２１と後円筒フレーム２２の間で回動可能に保持される。各第１ベベルギヤ片２５はその前部に位置する第１ベベルギヤ部材４１と噛合し、これにより、操作部６の回動操作により第１ベベルギヤ部材４１が回動すると、各第１ベベルギヤ片２５が従動し、全ての可動フィン２３がその支軸２４,２７を軸に回動する。
【００４７】
各可動フィン２３の回動範囲は約９０°に設定されるため、第１ベベルギヤ片２５は円環ホイール状に形成する必要はなく、図１２に示すように、約１８０°の角度範囲つまり略半円形の歯部として形成される。また、円筒フレーム２０を含む回動ルーバー２は、その中央の操作部６を持って、上下左右に傾動操作すると、ボールジョイント８のボール４４を中心に、中央軸支部３が傾動し、回動ルーバー２全体が傾動するようになっている。
【００４８】
回動ルーバー２は、５枚の可動フィン２３のフィン本体を、各々、通風路１５の通風方向（中心線Ｓ１）と平行にした状態で、レジスタは開放状態（全開でストレートに送風するニュートラル状態）となる。拡散するマイルド風を送風する場合、操作部６を全開状態から例えば右側に回動操作すると、その回動力が第１ベベルギヤ機構５を介して各可動フィン２３に伝達され、回動ルーバー２は、各可動フィンがその支軸２４、２７の回りで回動し、中心線Ｓ１に対し傾斜した状態となり、傾斜した可動フィン２３により送風が拡散され、マイルド風を送風するように構成される。
【００４９】
このような操作部６の回動操作時は、ボールシャフト部材４６と第２ベベルギヤ部材３８の関係は、図２０（ａ）から図２０（ｂ）の状態となり、ダンパ装置３０に操作部６の回動力は伝達されず、ダンパ装置３０は、動作しないように構成される。この間、回動ルーバー２は、操作部６の約３０°の回動角度範囲内で、可動フィン２３が任意の傾斜角度状態となり、傾斜した５枚の可動フィン２３によって、送風が細かく拡散され、マイルド風を送風できる状態となる。
【００５０】
このような状態から、さらに操作部６を例えば右側に回動操作すると、ボールシャフト部材４６から第２ベベルギヤ部材３８に回動力が伝達され、回動ルーバー２の上流側の通風路１５内に位置するダンパ装置３０が、動作して通風路１５を閉鎖するように構成される。
【００５１】
ダンパ装置３０は、リテーナ１内の通風路１５内に設けた支持枠１２の直ぐ後側に配置され、支持枠１２の中央部に、筒状のボールジョイント支持部１１が設けられ、ボールシャフト部材４６がそのボールジョイント支持部１１内に、通風路１５内の軸方向と平行に保持される。
【００５２】
ボールシャフト部材４６は、図１７、１８に示すように、その前端部にボール４４が、小径の軸部４５を介して一体成形され、その末端部（背面側）には、第２ベベルギヤ部材３８の異形軸孔３９に嵌合連結される、末端嵌合部４７が形成される。末端嵌合部４７は、ボールシャフト部材４６の端部両側に平坦面４７ａを形成し、両側の平坦面４７ａの間に円弧状曲面４７ｂを設けて形成される。
【００５３】
図１８、図２０に示す如く、第２ベベルギヤ部材３８の異形軸孔３９には、そこに嵌合されるボールシャフト部材４６の平坦面４７ａがその回動端で当接する、当接面３９ａが両側に設けられ、その円弧状曲面４７ｂが摺接する摺接面３９ｂが、その両側に設けられる。図２０（ａ）に示すように、異形軸孔３９の当接面３９ａは、中心線Ｓ３に対し例えば３０°の傾斜角度をもって両側に形成される。
【００５４】
これにより、操作部６を図５のニュートラル状態（開放状態）から右に回動操作を開始した場合、図２０（ａ）から図２０（ｂ）に示すように、ボールシャフト部材４６は第２ベベルギヤ部材３８に対し空回りを開始し、角度３０°だけ回動したとき、ボールシャフト部材４６の末端嵌合部４７の平坦面４７ａが異形軸孔３９の当接面３９ａに当接する。そして、さらに操作部６を回動操作したとき、図２０（ｂ）から図２０（ｃ）に示すように、ボールシャフト部材４６の回動力を第２ベベルギヤ部材３８に伝達し、第２ベベルギヤ部材３８を回動させ、操作部６の回動力をダンパ装置３０に伝達するようになっている。
【００５５】
このように、ボールシャフト部材４６の末端嵌合部４７は第２ベベルギヤ部材３８の異形軸孔３９に嵌合されるが、図５、図１８に示す如く、ボールシャフト部材４６の末端嵌合部４７には、第２ベベルギヤ部材をボールジョイント支持部１１側に付勢するバネ部材３８ａ（コイルばね）が、バネ座３８ｂを介して取り付けられる。蓋状のバネ座３８ｂは、取付ねじ３８ｃにより末端嵌合部４７の端面に固定される。
【００５６】
これにより、第２ベベルギヤ部材３８は、バネ部材３８ａによりボールジョイント支持部１１側に付勢されて、ボールジョイント支持部１１に対し適度な摩擦抵抗を生じさせる。これにより、操作部６の回動操作の初期時に、供回りを抑制して、ボールシャフト部材４６のみを空回りさせ、その後、図２０（ｃ）のように、ボールシャフト部材４６の回動力を第２ベベルギヤ部材３８に伝達し、第２ベベルギヤ部材３８を回動させるようになっている。
【００５７】
ダンパ装置３０は、図１３〜図１６に示す如く、直線部に軸部３３，３５を各々設けた１対の半円形ダンパ３１，３２を、回動可能に有して構成される。各半円形ダンパ３１，３２の直線部の軸部３３，３５には、第２ベベルギヤ部材３８と噛合する第２ベベルギヤ片３６，３７が一体成形される。
【００５８】
１対の半円形ダンパ３１，３２の直線部に設けた軸部３３，３５は、図１６に示す如く、一方の軸部３３の軸心位置に連結軸３３ａが突設され、他方の軸部３５の軸支位置に、連結孔が設けられる。同様に、他方の軸部３５の軸心位置に連結軸３５ａが突設され、一方の軸部３３の軸支位置に、連結孔が設けられその連結孔に連結軸３５ａが挿入され、両半円形ダンパ３１，３２が、その直線部の軸部３３,３５を介して、背面側に約９０°の角度範囲で回動可能に連結される。
【００５９】
組み付けられた１対の半円形ダンパ３１，３２は、リテーナ１内で、図５に示す如く、各々の第２ベベルギヤ片３６，３７が、第２ベベルギヤ機構３４の第２ベベルギヤ部材３８と噛合し、操作部６からの回動力が第２ベベルギヤ部材３８に伝達されたとき、軸部３３，３５を中心に、相反方向に約９０°の角度範囲で回動し、通風路１５を開放或いは閉鎖することとなる。
【００６０】
ダンパ装置３０の１対の半円形ダンパ３１，３２は、図１６に示すように、その軸部３３，３５の末端部に支軸３３ｂ、３５ｂが上下に突設され、支軸３３ｂ、３５ｂはリテーナ１内の上部と下部に設けた軸受孔に、図５に示す如く嵌入され、回動可能に軸支される。また、図２４に示す如く、１対の半円形ダンパ３１，３２の少なくとも円弧状縁部には、軟質合成樹脂部３１ａ，３２ａが被覆形成される。この軟質合成樹脂部３１ａ，３２ａは、全閉時、通風路１５の内周壁に当接することにより、風漏れを防止し、全閉性能を向上させる。
【００６１】
上記のように、ダンパ装置３０は、図５に示す如く、１対の半円形ダンパ３１，３２が通風方向と平行状態まで回動した状態で、通風路１５を開放する。ダンパ装置３０は、基本的には、開放状態から、操作部６を例えば右側に回動操作したとき、操作部６の所定の角度位置から、１対の半円形ダンパ３１，３２が閉じる方向に回動し、操作部６の右側への回動端で全閉状態となるように構成される。
【００６２】
ダンパ装置３０は、操作部６が正面視で右側端まで回動されているとき、閉鎖状態となり、操作部６を左側端まで左に回動操作したとき、ダンパ装置３０は、図１〜図５の状態、つまり全開し、ストレート風を送風するニュートラル状態となる。この状態から、操作部６を例えば右側に回動操作すると、操作部６の回動力が第１ベベルギヤ機構５を介して回動ルーバー１の各可動フィン２３に伝達され、各可動フィン２３が中心線Ｓ１に対する角度を徐々に傾斜させるように回動し、送風を拡散させてマイルド風を送風する状態となる。
【００６３】
この間、回動伝達機構４のボールシャフト部材４６は回動するものの、その末端嵌合部４７は第２ベベルギヤ部材３８の異形軸孔３９内で空回りし、第２ベベルギヤ部材３８は回動しないように構成される。すなわち、図２０（ａ）から図２０（ｂ）のように、操作部６の回動操作時、先ず回動ルーバー２の可動フィン２３が回動した後、さらに回動操作すると、図２４に示すように、半円形ダンパ３１，３２が相反方向つまりその間の角度を増す方向に回動し、半円形ダンパ３１，３２の外周縁部がリテーナ１内の壁面に接触するまで回動し、通風路１５が閉鎖されるようになっている。
【００６４】
上記回動ルーバー２を組み立てる場合、先ず、操作部６を前円筒フレーム２１の前部の操作部保持部２１ｂ内に挿入しながら、その軸部を挿入孔に挿入し、前円筒フレーム２１の後部側から第１ベベルギヤ部材４１の連結軸部４２を、操作部６の軸部内に差し込み、その係止爪を係止部に係止させる。これにより、操作部６及び第１ベベルギヤ部材４１は前円筒フレーム２１の中央軸線位置に、確実に回動可能に組み付けられる。
【００６５】
次に、中央軸支部３の外周部の軸支線の位置に、５枚の可動フィン２３を放射状に保持させるように、内側の支軸２７を軸支部２９に挿入し、第１ベベルギヤ部材４１を中央軸支部３の円筒軸部２８を嵌入する。その状態で、５枚の可動フィン２３の外側の支軸２４を、前円筒フレーム２１と後円筒フレーム２２間の軸受部で挟み込み軸支するようにして、前円筒フレーム２１と後円筒フレーム２２を嵌合させ、その係止爪２２ａと係止部２１ｃを係止させる。
【００６６】
この状態で、回動ルーバー２は、円筒フレーム２０に５枚の可動フィン２３を組み付けた状態となり、各可動フィン２３の元部に設けた第１ベベルギヤ片２５は中央の第１ベベルギヤ部材４１と噛合した状態となる。ボールジョイント８のボールシャフト部材４６は、リテーナ１内のボールジョイント支持部１１内に、そのボール４４を前方に、水平に位置させた状態で、その軸の回りで回動可能に嵌入される。
【００６７】
円筒フレーム２０を含む回動ルーバー２をリテーナ１内に装着する場合、後円筒フレーム２２の外周のストッパ２２ｂを、リテーナ１内のガイド溝１ａに挿入し、中央軸支部３の後部にボール４４を嵌合させた状態のボールジョイント８のボールシャフト部材４６が後方に突出した状態で、ボールジョイント８のボールシャフト部材４６を、リテーナ１内のボールジョイント支持部１１内に差し込む。
【００６８】
この後、ボールシャフト部材４６の末端嵌合部４７には、図１８に示すように、第２ベベルギヤ部材３８、バネ部材３８ａ、及びバネ座３８ｂが取付ねじ３８ｃにより取り付けられる。このとき、嵌合された末端嵌合部４７と第２ベベルギヤ３８の異形軸孔３９の関係は、図２０に示すように、所定の角度範囲で回動力を伝達可能な状態となる。そして、１対の半円形ダンパ３１,３２を組み付けたダンパ装置３０が、リテーナ１の背面側か通風路１５内に挿入され、ダンパ装置３０の上下の支軸３５ｂ、３３ｂが、リテーナ１の上部と下部に設けた軸孔に嵌挿され、半円形ダンパ３１，３２の第２ベベルギヤ片３６，３７が第２ベベルギヤ部材３８と噛合して、組み付けられる。そして、ベゼル９を回動ルーバー２の前部を覆うように、リテーナ１の前部に嵌め込み、係止部９ａを係止爪１ｂに係止させ、レジスタの組立てが完了する。
【００６９】
上記構成のレジスタは、例えば自動車のインストルメントパネルに設けられた空調装置の空気吹出口等に装着して使用される。レジスタの送風方向を変える場合、操作部６を持って回動ルーバー２を傾動操作或いは回動操作して行なう。操作部６はダイヤル状に形成され且つ空気吹出口９ｂより少し前方に突出して配設されるため、使用者は容易に操作部６を持って傾動操作或いは回動操作が可能である。
【００７０】
図５，１０に示すように、ダンパ装置３０が全開し、回動ルーバー２の可動フィン２３が通風路１５の軸方向に沿った中心線Ｓ２と平行な状態にあるとき、空気流は回動ルーバー２の可動フィン２３にガイドされて前方に真直ぐ送風され、前方の比較的狭い範囲に集中してスポット風が送風される。
【００７１】
レジスタの送風方向を変える場合、操作部６を持って回動ルーバー２を上下或いは左右に傾動操作する。例えば、図２１に示すように、操作部６を下側に傾動させると、回動ルーバー２は、円筒フレーム２０の上端部のストッパ２２ｂがガイド溝１ａ内を前方に移動し、ボールジョイント８はそのソケット部材４９がボール４４を中心に下側に傾動する。これにより、回動ルーバー２は、図２１に示すように、リテーナ１の中心線Ｓ１に対しその中心線Ｓ２が下側に傾斜し、送風方向が斜め下方に変えられる。操作部６を上側に傾動させた場合、同様に回動ルーバー２が傾動し、送風方向は斜め上方に変えられる。
【００７２】
また、その状態で、操作部６を右または左に傾動させると、回動ルーバー２は、ストッパ２２ｂとボールジョイント８のボール４４を結ぶ軸を中心に、右または左に傾動し、送風方向が斜め下側の右または左方向に変えられる。回動ルーバー２が上側に傾動した状態或いは図１０のように真直ぐ正面を向く場合も、同様に、回動ルーバー２は、ストッパ２２ｂとボールジョイント８のボール４４を結ぶ軸を中心に、右または左に傾動し、送風方向が右または左方向に調整される。
【００７３】
一方、空気吹出口９ｂの前方の周囲における比較的広い範囲に、拡散して送風する場合、操作部６を持って中心線Ｓ２を軸に捻るように右に回す。
【００７４】
このとき、操作部６の回動力は第１ベベルギヤ機構５の第１ベベルギヤ部材４１を介して５枚の可動フィン２３の第１ベベルギヤ片２５に伝達され、５枚の可動フィン２３はその支軸２４、２７を軸に回動し、各可動フィン２３のフィン本体が通風路１５の横断面に沿ったラジアル方向の軸の回りで、前後に傾くように回動する。
【００７５】
またこのとき、第２ベベルギヤ機構３４の第２ベベルギヤ部材３８とボールシャフト部材４６の末端嵌合部４７の関係は、図２０（ａ）、（ｂ）に示すように、例えば右に３０°の角度範囲で回した場合、ボールシャフト部材４６の末端嵌合部４７は、異形軸孔３９内で空回りし、ボールシャフト部材４６の回動力は第２ベベルギヤ部材３８に伝達されない。したがって、操作部６の回動操作で、回動ルーバー２の可動フィン２３の傾斜角度が変えられる間、ダンパ装置３０の１対の半円形ダンパ３１，３２は、図１０のように、開放状態を保持する。
【００７６】
これにより、空気流は、回動ルーバー２を通過する際、回動ルーバー２の中心線Ｓ２の回りで旋回するように周囲に広って送風され、空気吹出口９ｂの周囲に拡散するように拡散風〈マイルド風〉が送風される。またこのとき、送風は空気吹出口９ｂの内側に配置された５枚の可動フィン２３により、周囲にガイドされて拡散され、マイルドな風を送風することができる。
【００７７】
一方、送風を遮断する場合には、操作部６をさらに右に回動端まで回す。このとき、第２ベベルギヤ部材３８とボールシャフト部材４６の末端嵌合部４７の嵌合状態は、図２０（ｂ）から図２０（ｃ）に示すように、末端嵌合部４７の平坦面４７ａが異形軸孔３９の当接面３９ａに当たり、ボールシャフト部材４６の回動力が第２ベベルギヤ部材３８に伝達される。
【００７８】
これにより、第２ベベルギヤ機構３４の第２ベベルギヤ部材３８が回動し、第２ベベルギヤ片３６，３７を介して１対の半円形ダンパ３１，３２が相反方向につまり閉じる方向に回動し、図２４に示す如く、半円形ダンパ３１，３２の円弧状端部が通風路１５の内周面に当接して、ダンパ装置３０が閉鎖される。このとき、ダンパ装置３０は、１対の半円形ダンパ３１，３２の周縁部が、通風路１５の内周面に当接するため、風漏れを防止して、全閉状態とすることができる。またこのとき、回動ルーバー２の可動フィン２３も、閉鎖方向に回動し、図２４に示すように、円筒フレーム２０内を略全閉状態とする。
【００７９】
一方、このような全閉状態から操作部６を左に回すと、上記とは逆の動作が行われ、ボールシャフト部材４６の末端嵌合部４７が、異形軸孔３９内で空回りする間、操作部６の回動力は、第１ベベルギヤ機構５の第１ベベルギヤ部材４１を介して５枚の可動フィン２３の第１ベベルギヤ片２５に伝達され、５枚の可動フィン２３はその支軸２４、２７を軸に、上記と逆方向に回動する。これにより、各可動フィン２３のフィン本体が通風路１５の中心線Ｓ１，Ｓ２と平行な方向に向くように回動し、元の状態に戻る。
【００８０】
そしてさらに、操作部６を左に回すと、その回動力がボールシャフト部材４６の末端嵌合部４７から第２ベベルギヤ部材３８に伝達され、１対の半円形ダンパ３１，３２が、上記とは逆に開放方向に回動し、ダンパ装置３０が全開状態に戻り、送風状態は、回動ルーバー２の可動フィン２３の角度を調整して、任意の拡散風を送風することができる。
【００８１】
以上説明したように、上記レジスタは、回動ルーバー２の中央の操作部６を持って回動ルーバー２を任意の方向に傾動操作したとき、回動ルーバー２は、中央に支持されたボールジョイント８のボール４４を中心に傾動し、送風方向が任意の方向に変えられる。また、操作部６をその軸の回りで回動操作すると、第１ベベルギヤ機構５を介して操作部６の回動力が各可動フィン２３に伝達され、各可動フィン２３がその支軸２４，２７の回りで回動し、例えば各可動フィン２３が通風路１５の軸方向と略平行になったとき、ストレートなスポット風が送風される。
【００８２】
また、操作部６をその軸の回りで回動操作し、例えば各可動フィン２３が通風路１５の軸方向に対し傾斜状態となると、傾斜した可動フィン２３によって、送風が拡散され、マイルド風が送風される。さらに操作部６を回動操作して各可動フィン２３の傾斜角度が所定角度より増大し、各可動フィン２３が略閉鎖状態に達すると、ボールジョイント８のボールシャフト部材４６の末端に設けた第２ベベルギヤ機構３４を介して、操作部６の回動力が、ダンパ装置３０の１対の半円形ダンパ３１、３２に伝達される状態となり、半円形ダンパ３１，３２が回動し、操作部６の回動操作がその回動端まで回したとき、１対の半円形ダンパ３１，３２により通風路１５を全閉することができる。
【００８３】
このように、操作部６をその軸の回りで回動操作するのみで、スポット風からマイルド風（拡散風）まで簡単に調整することができ、操作部６の回動端では、ダンパ装置３０の開閉を行うことができ、ダンパ装置３０は、半円形ダンパ３１，３２で通風路１５を密に閉鎖して、風漏れを防止することができる。
【符号の説明】
【００８４】
１      リテーナ
１ａ    ガイド溝
１ｂ    係止爪
２      回動ルーバー
３      中央軸支部
４      回動伝達機構
５      第１ベベルギヤ機構
６      操作部
８      ボールジョイント
９      ベゼル
９ａ    係止部
９ｂ    空気吹出口
１１    ボールジョイント支持部
１２    支持枠
１５    通風路
２０    円筒フレーム
２１    前円筒フレーム
２１ａ  格子部
２１ｂ  操作部保持部
２１ｃ  係止部
２２    後円筒フレーム
２２ａ  係止爪
２２ｂ  ストッパ
２３    可動フィン
２４    支軸
２５    第１ベベルギヤ片
２７    支軸
２８    円筒軸部
２９    軸支部
３０    ダンパ装置
３１    半円形ダンパ
３１ａ  軟質合成樹脂部
３３    軸部
３３ａ  連結軸
３３ｂ  支軸
３４    第２ベベルギヤ機構
３５    軸部
３５ａ  連結軸
３５ｂ  支軸
３６    第２ベベルギヤ片
３８    第２ベベルギヤ部材
３８ａ  バネ部材
３８ｂ  バネ座
３９    異形軸孔
３９ａ  当接面
３９ｂ  摺接面
４１    第１ベベルギヤ部材
４２    連結軸部
４４    ボール
４４ａ  凸部
４５    軸部
４６    ボールシャフト部材
４７    末端嵌合部
４７ａ  平坦面
４７ｂ  円弧状曲面
４８    ソケット支持部材
４９    ソケット部材
【図１】
2019156168.tif 000003
【図２】
2019156168.tif 000004
【図３】
2019156168.tif 000005
【図４】
2019156168.tif 000006
【図５】
2019156168.tif 000007
【図６】
2019156168.tif 000008
【図７】
2019156168.tif 000009
【図８】
2019156168.tif 000010
【図９】
2019156168.tif 000011
【図１０】
2019156168.tif 000012
【図１１】
2019156168.tif 000013
【図１２】
2019156168.tif 000014
【図１３】
2019156168.tif 000015
【図１４】
2019156168.tif 000016
【図１５】
2019156168.tif 000017
【図１６】
2019156168.tif 000018
【図１７】
2019156168.tif 000019
【図１８】
2019156168.tif 000020
【図１９】
2019156168.tif 000021
【図２０】
2019156168.tif 000022
【図２１】
2019156168.tif 000023
【図２２】
2019156168.tif 000024
【図２３】
2019156168.tif 000025
【図２４】
2019156168.tif 000026